(57)【要約】【課題】ダニ等の害虫を、効率的に、掃除機本体へ吸い込む。【解決手段】掃除対象物に対向する底面に設けた吸込口と、吸込口を介して空気を内部に吸引する電動送風機と、吸込口から吸引された空気を外部に排出する外部排出口と、掃除対象物に対向する叩き部材と、叩き部材を駆動する駆動手段と、を備え、電動送風機により、吸引された空気を加熱し、加熱された空気を外部排出口から上記掃除対象物へ吹き付ける電気掃除機であって、叩き部材を駆動し叩き部材により掃除対象物を叩打しながら、吸込口から空気を吸引する。【選択図】図５
2019030801.tif 000002
【特許請求の範囲】
【請求項１】
掃除対象物に対向する底面に設けた吸込口と、
上記吸込口を介して空気を内部に吸引する電動送風機と、
上記吸込口から吸引された空気を外部に排出する外部排出口と、
掃除対象物に対向する叩き部材と、
上記叩き部材を駆動する駆動手段と、を備え
上記電動送風機により、吸引された空気を加熱し、加熱された空気を上記外部排出口から上記掃除対象物へ吹き付ける電気掃除機であって、
上記叩き部材を駆動し上記叩き部材により掃除対象物を叩打しながら、上記吸込口から空気を吸引することを特徴とする電気掃除機。
【請求項２】
上記叩き部材を上記吸込口から吸引される空気流路の前方に配置することを特徴とする請求項１に記載の電気掃除機。
【請求項３】
回転ブラシを備え、該回転ブラシは、回転駆動により掃除対象物から塵挨を掻き上げるブラシ部材と、上記回転駆動により掃除対象物を叩打する叩き部材と、を有し、上記回転ブラシは、上記吸込口に設けられていることを特徴とする請求項１または２に記載の電気掃除機。
【請求項４】
上記外部排出口を上記吸込口の後方に設けたことを特徴とする請求項１から３のいずれか１項に記載の電気掃除機。
【発明の詳細な説明】
【技術分野】
【０００１】
本発明は、電気掃除機、より具体的にはハンディ型の電気掃除機に関する。
【背景技術】
【０００２】
従来、布団、絨毯、ソファー等に付いているダニ等の害虫を駆除するため、電気掃除機から被掃除面に対し熱風を吹き付ける技術が知られている。このような技術は、例えば、特許文献１〜４に開示されている。
【０００３】
特許文献１には、電気掃除機のヘッド部材の吸い込み開口部の周辺に電熱器及び送風ファンを取り付け、電熱器によって熱せられた空気を送風ファンで吹き出し口から布団や絨毯に送り込み、ノミやダニ等の害虫や微生物を熱風で殺し、その死骸などをヘッドの吸い込み開口部より吸引する技術が開示されている。
【０００４】
特許文献２には、電気掃除機ではないが、害虫等駆除装置が開示されている。この害虫等駆除装置は、床面等の一部を覆うことの可能なカバーと、このカバー内の空気を吸引口から吸引すると共に吹出口から前記カバー内へ吹き出すための送風機と、吸引口から吹出口に至る空気を清浄する集塵具と、吹出口から吹き出される空気を加熱するためのヒーターとを備えている。
【０００５】
特許文献３には、電気掃除機の排気口に嵌入された排気ホースから、電動送風機の高温排気を、密閉された通気性がない布団乾燥袋に排出し、害虫を死滅させる技術が開示されている。
【０００６】
特許文献４には、ハンディ型電気掃除機が開示されている。このハンディ型電気掃除機は、被掃除面に直接対向する吸込口が掃除機本体の下面部に設けられている。掃除機本体内には、集塵フィルターが内蔵された集塵室、集塵室にその吸気側が連通するように電動送風機が設けられている。そして、掃除機本体には、電動送風機の排気側と吸込口とを連通させる還流風路が設けられている。また、掃除機本体の下面には、電気掃除機の排気側と還流風路とを連通するスリット状の排気口が設けられている。また、還流風路には、排気口と対向する部分には切欠部が形成されており、該切欠部を選択的に開閉する切換開閉板が設けられている。特許文献４のハンディ型電気掃除機では、電動送風機の駆動により塵埃が空気とともに吸込口から吸い込まれ、集塵室の集塵フィルターにて捕捉される。集塵フィルターを通過した空気は電動送風機に吸い込まれる。電動送風機からの排気風は排気口を通過する。
【０００７】
切換開閉板によって切欠部が閉塞されているとき、電動送風機からの排気風は、外部に排出されず、還流風路を介して吸込口へ還流し、被掃除面へ吹き付けられる。そして、排気風の一部は、集塵室、電動送風機へ再び吸い込まれ、その結果、掃除機本体において、吸込口、集塵室、電動送風機、及び還流風路を繰り返し巡る還流気流が生じる。そして、発熱する電動送風機を空気が繰り返し通過することによって、循環気流の温度が上昇する。このように加熱された排気風が還流風路から吸込口を介して被掃除面に吹き付けられることによって、被掃除面にいる害虫が駆除されつつ吸い込まれて集塵室内に捕捉される。
【０００８】
特許文献５及び６には、ふとん等を掃除対象としたハンディ型の電気掃除機が開示されている。
【０００９】
特許文献５には、主に、紫外線ランプが設けられた殺菌装置を備えた電気層掃除機が開
示されている。
【００１０】
また、特許文献６には、主に、掃除対象物に打撃を与えて掃除対象物から異物を脱落させる埃叩きと、回転するように掃除機本体に装着され掃除対象物から異物を引き離す円筒状ブラッシュと、を備えた電気掃除機が開示されている。特許文献６に開示された電気掃除機では、埃叩き及び円筒状ブラッシュを作動させるための駆動力を提供する駆動源が単一になっている。
【００１１】
また、特許文献７〜９には、電気掃除機に用いられる回転ブラシが開示されている。
【先行技術文献】
【特許文献】
【００１２】
【特許文献１】特開２００５−３１２４７０号公報（２００５年１１月１０日公開）
【特許文献２】特開２０００−１１６５７６号公報（２０００年  ４月２５日公開）
【特許文献３】特開平５−    ３８４０号公報（１９９３年  １月１４日公開）
【特許文献４】特開平３−１６２８１２号公報（１９９１年  ７月１２日公開）
【特許文献５】特表２００８−５４３３５６号公報（２００８年１２月  ４日公表）
【特許文献６】特開２０１４−１２８５４８号公報（２０１４年  ７月１０日公開）
【特許文献７】特開平３−１５８１２６号公報（１９９１年  ７月  ８日公開）
【特許文献８】特開２０００−２１７７５３号公報（２０００年  ８月  ８日公開）
【特許文献９】特開２０００−１４６０５号公報（２０００年  １月１８日公開）
【発明の概要】
【発明が解決しようとする課題】
【００１３】
しかしながら、上述の従来技術、特に特許文献４に開示された技術には、以下の問題がある。
【００１４】
特許文献４に開示された技術では、還流気流が、吸込口、集塵室、電動送風機、及び還流風路を過度に循環することによって、過度に加熱することになる。このような過度に加熱された排気風が掃除機内を循環することにより、電動送風機等の温度が上昇してしまい、掃除機の安全性や信頼性が損なわれる。
【００１５】
また、特許文献４に開示された技術では、加熱された排気風が吸込口を介して被掃除面に吹き付けられるので、加熱された排気風が被掃除面に当る前に吸込口から掃除機内部に吸引されるという問題がある。
【００１６】
本発明は、上記従来の問題点に鑑みなされたものであって、その目的は、吸込口と排気口との間の排気風の過度の循環を防止することが可能な電気掃除機を提供することにある。
【課題を解決するための手段】
【００１７】
上記の課題を解決するために、本発明の一態様に係る電気掃除機は、
掃除対象物に対向する底面に設けた吸込口と、
上記吸込口を介して空気を内部に吸引する電動送風機と、
上記吸込口から吸引された空気を外部に排出する外部排出口と、
掃除対象物に対向する叩き部材と、
上記叩き部材を駆動する駆動手段と、を備え
上記電動送風機により、吸引された空気を加熱し、加熱された空気を上記外部排出口から上記掃除対象物へ吹き付ける電気掃除機であって、
上記叩き部材を駆動し上記叩き部材により掃除対象物を叩打しながら、上記吸込口から
空気を吸引することを特徴とする電気掃除機
【発明の効果】
【００１８】
本発明の一態様によれば、掃除対象物を叩打することによって、ダニ等の害虫が掃除対象物から遊離し、効率的に、ダニ等の害虫を掃除機本体へ吸い込むことができる。
【図面の簡単な説明】
【００１９】
【図１】本発明の実施形態１に係る電気掃除機の外観を示す外観図である。
【図２】本発明の実施形態１に係る電気掃除機の構成を示す側面図である。
【図３】本発明の実施形態１に係る電気掃除機を前側から見た正面図である。
【図４】本発明の実施形態１に係る電気掃除機を下面側から見た下面図である。
【図５】図３におけるＡ−Ａ断面図である。
【図６】図５におけるＢ−Ｂ断面図である。
【図７】図５におけるＣ−Ｃ断面図である。
【図８】図６におけるＤ−Ｄ断面図である。
【図９】本発明の実施形態１に係る電気掃除機の構成を示す分解斜視図である。
【図１０】本発明の実施形態１に係る電気掃除機の回路基板収容部の構成を示す分解斜視図である。
【図１１】本発明の実施形態１に係る電気掃除機の集塵カップにおける、ユーザに対してごみ溜まりを示す「ゴミ満量」のラインの好ましい位置を示す側面図である。
【図１２】本発明の実施形態１に係る電気掃除機における、回転ブラシ駆動モータ、回転ブラシ、及び電動送風機の位置関係を示す断面図である。
【図１３】図１に示す電気掃除機１の変形例を示し、（ａ）は側面図であり、（ｂ）は底面図であり、（ｃ）は前側から見た正面図である。
【図１４】本発明の実施形態２に係る電気掃除機の回転ブラシの構成を示し、（ａ）は側面図であり、（ｂ）は斜視図である。
【図１５】（ａ）は、本発明の実施形態２に係る電気掃除機の回転ブラシの構成の一例を示す断面図であり、（ｂ）は（ａ）と異なる構成を有する回転ブラシを示す断面図であり、（ｃ）は（ａ）及び（ｂ）と異なる構成を有する回転ブラシを示す断面図である。る。
【図１６】図１５の（ｂ）に示す叩き部材の、ブラシ部材から取り外したときの構成を示す側面図である。
【図１７】本発明の実施形態３に電気掃除機における吸込ユニットの構成を示す分解斜視図である。
【図１８】図１に示す電気掃除機を搭載する収納台単体の構成（本発明の実施形態４）を示し、（ａ）は、斜視図であり、（ｂ）は側面図であり、（ｃ）は正面図であり、（ｄ）は上面図である。
【図１９】図１８に示す収納台に図１に示す電気掃除機を搭載した状態を示し、（ａ）は、斜視図であり、（ｂ）は側面図であり、（ｃ）は正面図であり、（ｄ）は上面図である。
【図２０】本発明の実施形態５に係る電気掃除機の構成を示し、（ａ）は、下面側から見た下面図であり、（ｂ）は、断面図である。
【発明を実施するための形態】
【００２０】
〔実施形態１〕
以下、本発明の実施の形態について、詳細に説明する。図１は、本実施形態に係る電気掃除機１の外観を示す外観図である。図２は、図１に示した電気掃除機１の構成を示す側面図である。図３は、図１に示した電気掃除機１を前側から見た正面図である。図４は、図１に示した電気掃除機１を下面側から見た下面図である。図５は、図３におけるＡ−Ａ断面図である。また、図６は、図５におけるＢ−Ｂ断面図である。図７は、図５における
Ｃ−Ｃ断面図である。また、図８は、図６におけるＤ−Ｄ断面図である。図９は、本実施形態に係る電気掃除機１の構成を示す分解斜視図である。
【００２１】
図１〜図９に示されるように、本実施形態に係る電気掃除機１は、掃除機本体１００と集塵装置２００と、を備えている。掃除機本体１００は、外観が略円盤状に形成されている。また、集塵装置２００は、掃除機本体１００に着脱可能に設けられている。また、掃除機本体１００には、Ｌ字状の操作ハンドル３００が設けられている。この操作ハンドル３００は、ハンドル本体３１０とハンドル本体３１０を覆うハンドルカバー３２０とから構成されており、掃除機本体１００の頂部から集塵装置２００と反対方向へ向かって屈曲して設けられている。電気掃除機１を用いて布団等の掃除対象物を掃除するに際し、ユーザは、操作ハンドル３００を介して電気掃除機１を、例えば図５に示す矢印Ｘの方向に移動する。ここで、掃除機本体１００における集塵装置２００側を前側とし、その反対側を後側とする。
【００２２】
（掃除機本体１００）
掃除機本体１００の外観を構成する筐体ユニット１２０は、上部の錐面を構成する上部筐体１２１と、下部の錐面を構成する下部基体１２２と、集塵装置２００を保持する保持筐体１２３と、上側頂部の外観を構成する第１頂部筐体１２４及び第２頂部筐体１２５と、を備えている。第１頂部筐体１２４は、操作ハンドル３００及び集塵装置２００に連結している。第１頂部筐体１２４と集塵装置２００との連結部分には、着脱ボタン１２６が設けられている。この着脱ボタン１２６を操作することにより、集塵装置２００を、掃除機本体１００から脱離する、あるいは掃除機本体１００に装着することが可能になる。集塵装置２００は、掃除機本体１００の錐面部分に露出した状態で、掃除機本体１００に対して着脱可能に取り付けられている。また、第２頂部筐体１２５には、電気掃除機の現在の状態（例えば、運転中、停止中など）を表示する表示部１２５ａが設けられている。
【００２３】
また、掃除機本体１００は、下部基体１２２の前側部分に取り付けられた吸込ユニット２０を備えている（図９参照）。この吸込ユニット２０は、筐体ユニット１２０から脱着可能になっている。また、掃除機本体１００の下部基体１２２の後側部分には、掃除機本体１００内を通過した空気を外部へ排出する外部排出口３が形成されている。吸込ユニット２０は、布団等の掃除対象物についた塵埃を空気とともに吸い込むためのユニットであり、回転ブラシ４が収容されている。回転ブラシ４は、布団等の掃除対象物の表面から、塵埃またはダニなどの害虫を掻き出すためのものである。また、外部排出口３は、吸込ユニット２０から掃除機本体１００内部へ吸い込まれた空気を外部へ排出するための開口である。
【００２４】
また、掃除機本体１００の下部基体１２２には、仕切壁２１ｃが設けられている。この仕切壁２１ｃは、吸込口としての開口部２１ａと外部排出口３との間を仕切るように、下部基体１２２の底面に対し立設している。
【００２５】
吸込ユニット２０は、回転ブラシ４及びローラー１６を収容するブラシ筐体２１を備えている。ブラシ筐体２１には、回転ブラシ４が露出するように、開口部２１ａ、及びリブ２１ｂが設けられている。開口部２１ａは、電気掃除機１の吸込口として機能する。開口部２１ａは、その構成する側壁に囲まれた形状が、電気掃除機１の移動させる方向と直交する方向に延びる矩形形状をなしている。また、リブ２１ｂは、前方へ向かって複数形成されており、電気掃除機１の移動方向を前方へ案内するものである。
【００２６】
また、吸込ユニット２０は、ブラシ筐体２１内部に、回転ブラシ４の回転軸を支持するラッチ２２ａ及び２２ｂを備えている。このラッチ２２ａ及び２２ｂによって、回転ブラシ４は、その回転軸の方向が前後方向と垂直になるように支持される。
【００２７】
また、ローラー１６、並びにローラー１７ａ及び１７ｂは、掃除対象物に接触し、掃除機本体１００の移動を補助するものである。ローラー１６は、下部基体１２２に収容されている。また、ローラー１７ａ及び１７ｂは、ブラシ筐体２１のローラー収容部２１ｄに収容されている。ローラー１６、並びにローラー１７ａ及び１７ｂは、その回転軸の方向が前後方向と垂直になるように支持される。
【００２８】
掃除機本体１００は、筐体ユニット１２０内部に、ノズルパイプ５、電動送風機ユニット６０、排気フィルター７、本体回路基板８（回路基板）、ＰＣＩ（プラズマクラスター：登録商標）ユニット９、光センサー部１０、回転ブラシ駆動モータ１４、及びＬＥＤユニット１５を備えている。
【００２９】
ノズルパイプ５は、集塵装置２００における集塵カップ２１０の流入口２１０ａと、吸込ユニット２０とを中継する管である。ノズルパイプ５は、パッキン５ａを介して、下部基体１２２の開口部１２２ａに設けられている。吸込ユニット２０は、開口部１２２ａを介してノズルパイプ５と連通している。また、集塵装置２００は、集塵カップ２１０の流入口２１０ａ及び保持筐体１２３を介して、ノズルパイプ５と連通している。
【００３０】
ここで、集塵装置２００は、集塵カップ２１０の流入口２１０ａが下向きに配されるように、掃除機本体１００に搭載される。それゆえ、集塵カップ２１０に集塵された塵埃などが流入口２１０ａ及びノズルパイプ５を介して開口部１２２ａに逆流するおそれがある。本実施形態に係る電気掃除機１では、このような塵埃の逆流を防止するため、パッキン５ａに可撓性材料で構成された逆流防止弁が設けられている（不図示）。
【００３１】
電動送風機ユニット６０は、電動送風機６１と、電動送風機６１を収納するファンカバー６２と、第１防振部材６３と、第２防振部材６４と、温度センサー６５と、底部カバー部材６６と、備えている。ファンカバー６２内部で、電動送風機６１は、その回転軸が水平面に対して傾斜するように配置されている。第１防振部材６３及び第２防振部材６４は、電動送風機６１の回転軸方向の両端部に設けられており、ゴム等の弾性材料からなる。また、温度センサー６５は、ファンカバー６２内部の温度を検知するものである。なお、温度センサー６５は、電動送風機ユニット６０に配置されているが、温度センサー６５の配置は、この配置に限定されない。例えば、温度センサー６５は、後述する本体回路基板８やＩＲ基板１１に配置されていてもよい。
【００３２】
電動送風機６１は、回転軸心位置に、吸気口６１ａ及び排気口６１ｂを有する通気通路６１ｃが形成されている。吸気口６１ａは、電動送風機６１における上側の回転軸心位置に形成されており、排気口６１ｂは、電動送風機６１における側面の位置に形成されている。
【００３３】
ファンカバー６２は、電動送風機６１の上部を覆う吸気ダクト部材６７と、吸気ダクト部材６７と接合する排気ダクト部材６８とを有している。吸気ダクト部材６７は、電動送風機６１の吸気口６１ａと連通する上流側通気口６７ａを有する。上流側通気口６７ａは、吸気ダクト部材６７における集塵装置２００と対向する部分に形成されている。吸気ダクト部材６７の上側には、第１頂部筐体１２４及び第２頂部筐体１２５が配置されている。
【００３４】
また、底部カバー部材６６には爪部が形成されている。底部カバー部材６６は、この爪部が排気ダクト部材６８の底部に引っ掛かることによって、排気ダクト部材６８の底部を被覆する。
【００３５】
また、排気ダクト部材６８は、電動送風機６１を収容する電動送風機収容部６８ａと、本体回路基板８を収容する回路基板収容部６８ｂ（基板収容部）と、を有している。また、電動送風機収容部６８ａには、電動送風機６１の側面に形成された排気口６１ｂと連通する下流側通気口６８ｃが設けられている。この下流側通気口６８ｃには、排気フィルター７が嵌め込まれている。
【００３６】
本体回路基板８は、電動送風機６１や回転ブラシ４等の各種部材の動作を制御する制御部として機能する。また、本体回路基板８は、ＣＰＵやＲＡＭ，ＲＯＭなどの制御機器を有しており、電気掃除機１を統括的に制御する。具体的には、本体回路基板８では，ＣＰＵがＲＯＭに記憶された制御プログラムに従って各種の処理を実行する。
【００３７】
また、回路基板収容部６８ｂは、電動送風機収容部６８ａの側面に形成されている。本体回路基板８は、回路基板収容部６８ｂ内に収容され、本体回路基板カバー８ａによって閉塞される。ここで、電動送風機収容部６８ａと回路基板収容部６８ｂとは、連通している。図１０は、回路基板収容部６８ｂの構成を示す分解斜視図である。
【００３８】
図１０に示されるように、回路基板収容部６８ｂには、上流側通気口６８ｄ、下流側通気口６８ｅ、及び案内リブ６８ｆが設けられている。上流側通気口６８ｄ及び下流側通気口６８ｅは、案内リブ６８ｆの一部を挟むように設けられている。
【００３９】
案内リブ６８ｆは、回路基板収容部６８ｂにおける上流側通気口６８ｄ及び下流側通気口６８ｅが形成された面に対して立設しており、上流側通気口６８ｄ及び下流側通気口６８ｅの間を延びる立設部６８ｇを有している。また、案内リブ６８ｆは、立設部６８ｇに対して折れ曲がって形成された６８ｈを有している。
【００４０】
回路基板収容部６８ｂは、上流側通気口６８ｄ及び下流側通気口６８ｅを介して、電動送風機収容部６８ａと連通している。電動送風機６１の通気通路６１ｃを通過する空気の一部は、上流側通気口６８ｄを介して回路基板収容部６８ｂに流入し、下流側通気口６８ｅを介して電動送風機収容部６８ａへ流出する。案内リブ６８ｆは、上流側通気口６８ｄを介して流入した空気が本体回路基板８全体に当るように、空気の流路Ｚ２を規定するリブである。
【００４１】
電動送風機ユニット６０は、下部基体１２２における外部排出口３側に形成されたスペースに配置されている。電動送風機ユニット６０は、排気ダクト部材６８の下流側通気口６８ｃに嵌め込まれた排気フィルター７が、外部排出口３側に位置するように配置されている。
【００４２】
ＰＣＩユニット（イオン発生器）９は、排気フィルター７の下側に配置されている。このＰＣＩユニット９は、図示しない電極を有し、この電極は排気フィルター７と外部排出口３との間の空間内に突出している。ＰＣＩユニット９は電極を印加し、ＰＣＩ（正負イオン）を排気フィルター７と外部排出口３との間の空間内に発生させる。ＰＣＩユニットから発生したＰＣＩは、電動送風機ユニット６０から排出される空気によって、外部排出口３から外部へ排出される。これにより、布団等の掃除対象物の脱臭効果が促進する。
【００４３】
光センサー部１０は、電気掃除機１の掃除対象物を検知するセンサーであり、掃除機本体１００の底部と掃除対象物との接触を検知する。具体的には、ユーザが電気掃除機１を用いて掃除するに際し、光センサー部１０は、開口部２１ａ（吸込口）が布団等の掃除対象物から離間したときに検知するものである。この光センサー部１０は、ＩＲ基板１１、センサー遮光カバー１２、及びセンサーレンズ１３を備え、下部基体１２２の外部排出口３の近傍に設けられた第１収容部１２２ｂに収容されている。電気掃除機１では、光セン
サー部１０の検知によって、例えば、表示部１２５ａにて運転停止を報知する、回転ブラシ４の回転を停止する、あるいは回転ブラシ４の回転数を低くするといった制御がなされる。これによって、電気掃除機１が掃除対象物に離間したときのユーザの使用安全性を向上させることができる。また、光センサー部１０は２個設置されている。ユーザが電気掃除機１を用いて布団等の掃除対象物の端部を掃除するに際し、布団等の掃除対象物から離間したときに２個の光センサー部１０のうち１個が検知した場合であっても、上述の制御がなされてもよい。これにより、例えば、表示部１２５ａにて運転停止を報知するといった制御がなされる場合、電気掃除機１から排気される温風が有効に利用されない状態を回避することができるという効果を奏する。
【００４４】
回転ブラシ駆動モータ１４は、吸込ユニット２０に収容されている回転ブラシ４を駆動するモータである。回転ブラシ駆動モータ１４は、下部基体１２２における第２収容部１２２ｃ内に収容され回転ブラシ駆動モータカバー１４ａによって閉塞されている。ここで、回転ブラシ４を収容する吸込ユニット２０には、回転ブラシ駆動モータ１４が収容されていない。電気掃除機１では、水洗いが困難な回転ブラシ駆動モータ１４が吸込ユニット２０とは別の箇所に収容されるとともに、回転ブラシ４を収容する吸込ユニット２０が取り外し可能になっている。それゆえ、吸込ユニット２０を取り外すことにより電気掃除機１の吸込口近傍部分の水洗いが可能になる。このように吸込ユニット２０を備えた構成は、例えばハンディタイプ掃除機において、吸込口を清潔に保つ上で特に有効な構成である。
【００４５】
ＬＥＤユニット１５は、電気掃除機の現在の状態を表示する表示部１２５ａに光を照射する光源として機能する。ＬＥＤユニット１５は、ＬＥＤ基板１５ａ、ＬＥＤカバー１５ｂ、及びＬＥＤレンズ１５ｃを備えている。このＬＥＤユニット１５は、第２頂部筐体１２５の表示部１２５ａの下側に配置されている。
【００４６】
また、掃除機本体１００には、給電用のプラグ付き電源コード（不図示）が取り付けられている。しかし、本実施形態における掃除機本体１００は、プラグ付き電源コードにより給電される構成に限定されず、例えば、予め充電されたバッテリにより給電される構成であってもよい。更に、バッテリが着脱可能であってもよい。
【００４７】
本実施形態に係る電気掃除機１では、掃除機本体１００に内蔵された電動送風機６１が作動されることによって、吸込ユニット２０の開口部２１ａから吸気が行われる。そして、開口部２１ａから吸引された塵埃を含む空気は、集塵装置２００に流入する。集塵装置２００では、吸い込まれた空気から塵埃が遠心分離される。集塵装置２００にて塵埃が分離された後の空気は、掃除機本体１００に設けられた外部排出口３から外部へ排気される。
【００４８】
（集塵装置２００）
以下、集塵装置２００の構成について詳細に説明する。
【００４９】
集塵装置２００は、集塵カップ２１０と、集塵カップ２１０を閉塞する上蓋ユニット２２０と、上蓋ユニット２２０を覆うカバー２３０と、を備えている。
【００５０】
集塵カップ２１０には、塵埃を含む空気を導入するための流入口２１０ａが形成されている。集塵カップ２１０は、上部が開口されており、内部に、上蓋ユニット２２０が支持される。また、集塵カップ２１０と上蓋ユニット２２０とは連通している。
【００５１】
集塵カップ２１０内には、内筒部２１１及びダスト仕切部２１２が設けられている。内筒部２１１は、上蓋ユニット２２０と連通している。また、ダスト仕切部２１２は、内筒
部２１１における上蓋ユニット２２０と反対側に連結され、集塵カップ２１０の底部に当接して設けられている。
【００５２】
内筒部２１１は、後述する遠心分離部によるサイクロン分離後の空気を上蓋ユニット２２０へと通気するように構成されている。内筒部２１１は、上蓋ユニット２２０に連結する上側端縁２１１ａと、遠心分離後の空気を通すための複数のスリット２１１ｂを有する胴部２１１ｃと、ダスト仕切部２１２と連結する下側端縁２１１ｄと、を有している。なお、胴部２１１ｃの外周にはメッシュ状の吸気側フィルターが巻き付けられている。
【００５３】
ダスト仕切部２１２は、中心孔を有する円板形のフランジ部２１２ａと、大径筒部２１２ｂと、小径筒部２１２ｃと、を有する。大径筒部２１２ｂは、フランジ部２１２ａの外周端から上方向及び下方向の両方向に突出して設けられている。また、小径筒部２１２ｃは、フランジ部２１２ａの内周部から垂下して設けられている。また、小径筒部２１２ｃの下端部は、閉塞状態であり筒部が塞がれている。
【００５４】
上蓋ユニット２２０内には、つづら折り状（プリーツ）のフィルター等を有するフィルターユニットが収容されている。フィルターユニットの上部には、つづら折り状のフィルターに堆積した塵埃をフィルターから除塵するための除塵部２２０ｂ、及び手動で除塵部２２０ｂを回転するための凸部２２０ａが設けられている。上蓋ユニット２２０では、除塵部２２０ｂを凸部２２０ａにより手動で回転することによって、つづら状のフィルターに堆積した塵埃を除塵する構成になっている。そして、除塵部２２０ｂによって除塵された塵埃は、落下し内筒部２１１に堆積する。内筒部２１１に堆積した塵埃は、ダスト仕切部２１２を取り外すことによって、廃棄することができる。
【００５５】
また、集塵装置２００は、後述する遠心分離部によるサイクロン分離性能を維持しつつ、電気掃除機１の体積を小さくするため、鉛直方向に対して傾斜した姿勢で掃除機本体１００に配置されている。また、電気掃除機１の主な掃除対象物として、布団が想定されている。布団から吸引される塵埃は、フローリングや絨毯等から吸引される塵埃と比較して、細かい粉状のものが多く存在する。このため、布団から吸引された塵埃は、集塵装置２００にて、集塵カップ２１０の軸に対して傾斜した角度で堆積される。それゆえ、図１１に示されるように、ユーザに対してごみ溜まりを示す「ゴミ満量」のラインは、集塵カップ２１０の外側表面に表示されている。そして、この「ゴミ満量」のラインは、集塵カップ２１０の軸Ｐに対して傾斜した角度で表示されていることが好ましい。
【００５６】
（電気掃除機１の動作）
本実施形態に係る電気掃除機１の動作について、以下に説明する。まず、ユーザは、電気掃除機１を用いて布団等の掃除対象物を掃除するに際し、操作ハンドル３００を持って、掃除機本体１００を手で支持する。そして、掃除機本体１００の底面を掃除対象物に接地し、吸込ユニット２０の開口部２１ａ及び外部排出口３を掃除対象物に近接対向させる。電気掃除機１を操作すると、掃除機本体１００に備えられた本体回路基板８（制御装置）は、電動送風機６１及び回転ブラシ４の回転ブラシ駆動モータ１４を作動させる。
【００５７】
回転ブラシ駆動モータ１４が駆動すると、回転ブラシ４が回転する。そして、回転ブラシ４の回転によって、布団等の掃除対象物表面に存在する塵埃またはダニ等の害虫が掻き出される。
【００５８】
ここで、図１２に示されるように、回転ブラシ駆動モータ１４は、回転ブラシ４よりも前方に位置し、回転ブラシ４よりも後方に位置する電動送風機６１と距離をおいて配置されている。これによって、電動送風機６１から発生する熱が回転ブラシ駆動モータ１４へ伝わりにくくなり、より安全に回転ブラシ駆動モータ１４を運転させることができる。
【００５９】
また、電動送風機６１を作動させると、開口部２１ａから塵埃含有空気が吸気される。開口部２１ａから吸気された塵埃含有空気は、図５の矢印で示す分離流路Ｙを経由して、ノズルパイプ５を介して、流入口２１０ａから集塵装置２００に流入し、上蓋ユニット２２０を通過し、集塵装置２００から排出される。集塵装置２００から排出された空気は、電動送風機６１が収容されている電動送風機ユニット６０へ吸引される。
【００６０】
集塵装置２００では、集塵カップ２１０内のダスト仕切部２１２の上部にあるフランジ部２１２ａを境に、上部が遠心分離部２４０として作用する。すなわち、集塵装置２００において、遠心分離部２４０は、集塵カップ２１０の内側面及び内筒部２１１の外周面等によって構成された旋回風路である。そして、流入口２１０ａは、遠心分離部４０が構成する旋回風路の接線方向に開口している。それゆえ、流入口２１０ａを介して流入した塵埃含有空気は、図４の分離流路Ｙのように、遠心分離部２４０が構成する旋回風路を旋回することによって、該塵埃含有空気中の塵埃が遠心分離される。遠心分離された塵埃のうち、比較的大きい粗塵（第１の塵埃）は、遠心力の作用により、集塵カップ２１０の内側面に沿って落下して、ダスト仕切部２１２の下方に集積される。
【００６１】
粗塵が分離された空気は、内筒部２１１を通過する（図５の分離流路Ｙ参照）。このとき、遠心分離部２４０によって分離されなかった比較的小さい細塵（第２の塵埃）は、空気流とともに、内筒部２１１のスリット２１１ｂを介して上昇する。一方、粗塵は、胴部２１１ｃに巻き付けられたメッシュ状のフィルターによって濾過される。内筒部２１１を通過した空気は、上蓋ユニット２２０に収容されたフィルターユニットを通過することによって細塵（第２の塵埃）が除去されて、集塵装置２００から排出される。なお、集塵装置２００は、旋回風路（サイクロン）で集塵する方式の集塵装置である。しかし、集塵装置２００は、サイクロン方式の集塵装置に限定されず、紙パック式や布袋式の集塵装置であってもよい。
【００６２】
集塵装置２００から排出された空気は、電動送風機ユニット６０へ吸引される。集塵装置２００から排出された空気は、電動送風機ユニット６０内にて、発熱している電動送風機６１の通気通路６１ｃを通過し、側面に形成された排気口６１ｂを介して排気ダクト部材６８の電動送風機収容部６８ａの側壁を迂回する流路をとる。そして、排気フィルター７を通過して、電動送風機ユニット６０から排出される（図５の流路Ｚ１参照）。このとき、空気は、発熱している電動送風機６１の通気通路６１ｃを通過する。これによって、空気は加温されて、温風となって電動送風機ユニット６０から排出される。そして、電動送風機ユニット６０から排出された温風は、排気フィルター７を通過して、掃除機本体１００の底面に形成された外部排出口３から外部へ排出される。
【００６３】
ここで、電動送風機ユニット６０の回路基板収容部６８ｂは、上流側通気口６８ｄ及び下流側通気口６８ｅを介して、電動送風機収容部６８ａと連通している。このため、電動送風機６１の排気口６１ｂから排出された空気の一部は、上流側通気口６８ｄを介して回路基板収容部６８ｂに流入し、案内リブ６８ｆによって規定された流路Ｚ２に沿って、回路基板収容部６８ｂ内を通過し、下流側通気口６８ｅを介して電動送風機収容部６８ａへ流出する。そして、下流側通気口６８ｅを介して電動送風機収容部６８ａへ流出した空気は、排気フィルター７を通過して、掃除機本体１００の底面に形成された外部排出口３から外部へ排出される。
【００６４】
このように、電気掃除機１では、電動送風機６１によって加温された温風の流路Ｚ１は、途中で、一部の温風が回路基板収容部６８ｂ内部を通過する流路Ｚ２に分岐する。回路基板収容部６８ｂ内部を通過する流路Ｚ２は、回路基板収容部６８ｂに収容された本体回路基板８の冷却に利用される。電気掃除機１を運転中、本体回路基板８の温度は、約１０
０℃以上となる。一方、電動送風機６１によって加温された温風の温度は、約６０℃〜７０℃となる。それゆえ、本体回路基板８は、電動送風機６１によって加温された温風が当ることによって、冷却される。
【００６５】
また、回路基板収容部６８ｂ内部を通過する流路Ｚ２は、排気フィルター７よりも上流側で再び流路Ｚ１に合流する。そして、流路Ｚ１及び流路Ｚ２は、単一の排気フィルター７を通過する。流路Ｚ１及び流路Ｚ２の空気は、排気フィルター７により清浄化されて、外部排出口３から外部へ排出される。
【００６６】
電動送風機６１の排気熱を利用して掃除対象物に対し温風を当てる電気掃除機１においては、外部へ排出される空気を浄化するために、排気フィルター７が搭載される。また、電気掃除機１には、本体回路基板８といった制御装置が搭載されているので、本体回路基板８の冷却のために、電動送風機６１によって加温された温風を回路基板収容部６８ｂに流入させる必要がある。
【００６７】
ここで、本体回路基板８の冷却のための流路構成として、電動送風機６１によって加温された温風全てを回路基板収容部６８ｂに流入させ、回路基板収容部６８ｂから排出された空気を排気フィルター７に通過させる流路構成が考えられる。しかし、この流路構成では、電動送風機６１によって加温された温風が回路基板収容部６８ｂ内で滞留する等の理由によって、外部排出口３から排出される空気の量や温度が低下するおそれがある。その結果、外部排出口３から排出される空気による十分な熱効果を得ることができない。
【００６８】
これに対して、本実施形態に係る電気掃除機１では、電動送風機６１の通気通路６１ｃを通過する空気のうち、一部が上流側通気口６８ｄを介して回路基板収容部６８ｂに流入し、残りが回路基板収容部６８ｂに流入しない流路構成になっている。それゆえ、外部排出口３から排出される空気の量を維持することができる。したがって、外部排出口３から排出される空気による十分な熱効果を得るとともに、本体回路基板８も十分に冷却することができる。
【００６９】
ユーザは、電気掃除機１を用いて布団等の掃除対象物を掃除するに際し、掃除機本体１００の底面を布団等の掃除対象物に接地し、開口部２１ａ及び外部排出口３を掃除対象物に近接対向させて、図５に示す矢印Ｘの方向に掃除機本体１００を移動させる。
【００７０】
ユーザが掃除するときは、まず、掃除対象物に対して、外部排出口３を介して温風が吹き付けられる。このように電動送風機６１の排気温風を布団等の掃除対象物に吹き付けることによって、掃除対象物が加温する。そして、これにより、例えば布団綿にしがみ付いているダニ等の触手が布団綿から離れ、害虫が弱体化する。このように弱体化した害虫は、開口部２１ａから掃除機本体１００へ吸い込まれる。
【００７１】
このように電気掃除機１においては、電動送風機６１を通過する際にその排熱（正確には駆動モータの排熱）にて加熱され、温風となって外部排出口３から排出される（排気）。このように、電動送風機６１の排熱を利用することによって、加熱器を別途設けることなく排気を加熱することができ、電気掃除機１の構成の簡略化、および消費電力の抑制が図ることができる。
【００７２】
ここで、本実施形態に係る電気掃除機１においては、開口部２１ａ（吸込口）を有する吸込ユニット２０内部に回転ブラシ４が収容されている。そして、吸込ユニット２０において、回転ブラシ４は、開口部２１ａから露出するように設けられている。換言すれば、回転ブラシ４は、開口部２１ａと外部排出口３との間に設けられており、開口部２１ａ近傍に配置されている。
【００７３】
これにより、電気掃除機１では、回転ブラシ４によって布団等の掃除対象物表面から塵埃またはダニ等の害虫を掻き出す動作、及び吸引動作が、吸込ユニット２０の開口部２１ａ近傍箇所で行われる。それゆえ、温風によって弱体化した害虫を効率的に掃除機本体１００内に吸引することができる。
【００７４】
なお、掃除機本体１００の移動方向は、矢印Ｘの方向に限らず、矢印Ｘと反対方向も可能である。また、掃除機本体１００を往復移動させて掃除することも可能である。この場合、矢印Ｘ方向と反対方向に掃除機本体１００を移動させるときには、外部排出口３からの温風により布団等の掃除対象物の湿気を除くことができるという効果を奏する。また、回転ブラシ４の回転による開口部２１ａからの吸引によって塵埃などを集塵することができるという効果を奏する。また、電動送風機６１によって加温された温風の排気を吹き付けることによって、布団等の掃除対象物中に含まれる水分が除去され、布団等の掃除対象物をふっくらさせることができるという効果を奏する。なお、このような効果は、掃除機本体１００の移動方向に関係なく奏する。
【００７５】
また、電気掃除機１では、掃除機本体１００の下部基体１２２の底面に、吸込口としての開口部２１ａと外部排出口３との間を仕切る仕切壁２１ｃが設けられている。この仕切壁２１ｃにより、外部排出口３から排出された温風が開口部２１ａへ吸引されることを防止することができる。それゆえ、掃除機本体１００における、開口部２１ａ（吸込口）と外部排出口３との間の排気風の過度の循環を防止することができ、排気循環による掃除機本体１００の過度の温度上昇を防止することができる。その結果、電気掃除機１の安全性及び信頼性を高めることができる。
【００７６】
また、吸込ユニット２０のローラー収容部２１ｄにローラー１６が収容されているので、電気掃除機１の移動が容易になり、操作性が向上する。
【００７７】
なお、仕切壁２１ｃは、下部基体１２２の底面に設けられていたが、吸込ユニット２０のブラシ筺体２１側に設けられていてもよい。この場合、仕切壁２１ｃは、ブラシ筺体２１と一体となって構成されている。より具体的には、ローラー収容部２１ｄを構成する側壁の一部は、上述した仕切壁２１ｃにより構成されている。
【００７８】
このように仕切壁２１ｃを側壁の一部とするローラー収容部２１ｄにローラー１６が収容されているので、電気掃除機１の移動が容易になり、操作性が向上する。
【００７９】
また、図１３は、図１に示す電気掃除機１の変形例を示し、図１３の（ａ）は側面図であり、図１３の（ｂ）は底面図であり、図１３の（ｃ）は前側から見た正面図である。図１３の（ａ）〜（ｃ）に示されるように、電気掃除機１ａでは、ブラシ筐体２１から前方向へ向かって前倒れ防止用リブ２１ｅが設けられている。前倒れ防止用リブ２１ｅは、板体または箱体の構造物であり、掃除対象物の面にほぼ平行な方向に伸びている。
【００８０】
これにより、ユーザが操作ハンドル３００を介して掃除機本体１００を持ち上げ後方から押したとき、掃除機本体１００が前のめりの姿勢になることを防ぐことができる。それゆえ、掃除機本体１００を動かすに際し過度な力が必要になることを防ぐ。
【００８１】
〔実施形態２〕
本発明の他の実施形態について、図１４及び図１５に基づいて説明すれば、以下のとおりである。なお、説明の便宜上、前記実施形態にて説明した部材と同じ機能を有する部材については、同じ符号を付記し、その説明を省略する。
【００８２】
本実施形態に係る電気掃除機は、回転ブラシ４の構成が、上記実施形態１と異なる。図１４は、本実施形態に係る電気掃除機の回転ブラシ４の構成を示し、図１４の（ａ）は側面図であり、図１４の（ｂ）は斜視図である。また、図１５の（ａ）は、本実施形態に係る電気掃除機の回転ブラシ４の構成の一例を示す断面図であり、図１５の（ｂ）は図１５の（ａ）と異なる構成を有する回転ブラシ４を示す断面図であり、図１５の（ｃ）は図１５の（ａ）及び（ｂ）と異なる構成を有する回転ブラシ４を示す断面図である。図１６は、図１５の（ｂ）に示す叩き部材４ｂ１の、ブラシ基部４ｄから取り外したときの構成を示す側面図である。
【００８３】
図１４の（ａ）及び（ｂ）に示されるように、回転ブラシ４は、回転軸部４ａと、叩き部材４ｂと、ブラシ部材４ｃと、を備えている。叩き部材４ｂ及びブラシ部材４ｃは、回転軸部４ａを覆うように設けられており、回転軸部４ａの回転方向に螺旋状に延びている。図１５の（ａ）及び（ｃ）に示されるように、回転軸部４ａには、叩き部材４ｂ及びブラシ部材４ｃの設置部となるブラシ基部４ｄが設けられている。このブラシ基部４ｄには、複数の突起４ｅが回転軸部４ａの方向に延びるように形成されている。ブラシ部材４ｃは、隣接する２つの突起４ｅ間に挿入される。
【００８４】
また、叩き部材４ｂは、隣接する２つの突起４ｅ間に挿入される挿入部４ｆと、挿入部４ｆに連結した叩き部本体４ｇとからなる。叩き部本体４ｇは、ブラシ基部４ｄの突起４ｅよりも突出している。叩き部材４ｂは、ブラシ部材４ｃよりも柔軟な材料、例えばラバー素材によって構成されている。
【００８５】
回転ブラシ４の回転駆動に伴ってブラシ基部４ｄが回転軸部４ａを軸として回転する。この回転に伴って、突起４ｅ間に挿入されたブラシ部材４ｃが掃除対象物に対し繰り返し当接することによって、掃除対象物表面に存在する塵埃が掻き上げられる。
【００８６】
また、叩き部材４ｂは、回転ブラシ４の回転に伴ってブラシ基部４ｄとともに回転軸部４ａを軸として回転する。叩き部材４ｂは、ブラシ部材４ｃよりも柔軟な材料によって構成されている。それゆえ、叩き部材４ｂ１・４ｂ３は、回転軸部４ａの回転による遠心力によって、叩き部本体４ｇ１・４ｇ３が回転軸部４ａと垂直な方向に撓む。その結果、回転軸部４ａが回転している状態では、遠心力により、叩き部材４ｂ１・４ｂ３の叩き部本体４ｇ１・４ｇ３がブラシ部材４ｃよりも回転軸部４ａと垂直な方向に延びている。それゆえ、叩き部材４ｂ１・４ｂ３は、ブラシ部材４ｃよりも掃除対象物表面に当接しやすくなる。したがって、回転ブラシ４においては、ブラシ部材４ｃにより掃除対象物表面に存在する塵埃が掻き上げられた直後に、叩き部材４ｂ１・４ｂ３が掃除対象物を叩打するようになる。
【００８７】
また、図１６に示されるように、叩き部材４ｂ２は、掃除対象物に接する側に切欠部４ｈが設けられていてもよい。この切欠部４ｈによって、回転軸部４ａの回転による遠心力によって叩き部本体４ｇ２が回転軸部４ａと垂直な方向に撓む際に、切欠部４ｈ間に叩き部本体４ｇ２が短く構成される。このため、回転軸部４ａの回転に対し、叩き部本体４ｇ２の可撓性が柔軟に対応し得る。その結果、叩き効果を十分に発揮することができる。
【００８８】
また、切欠部４ｈは、前述のリブ２１ｂの配置（図４及び図２０の一点破線Ｌ１）と同じ位置（図１６の一点鎖線Ｌ２の位置）になるように配置されている。すなわち、切欠部４ｈは、回転ブラシ４において、リブ２１ｂに沿って伸びる仮想線である一点破線Ｌ１と交差する位置（一点破線Ｌ２）に設けられている。これにより、リブ２１ｂと叩き部本体４ｇ２の切欠部４ｈとが略一直線上に位置することになる。それゆえ、回転ブラシ４が回転したときに、この切欠部４ｈにより、叩き部本体４ｇ２とリブ２１ｂとの間に隙間が生じ、叩き部本体４ｇ２の先端部がリブ２１ｂの先端部に接触することを防止することがで
きる。また、叩き部本体４ｇ２とリブ２１ｂとの間に隙間が設けられることによって、布団等の掃除対象物の一部が回転ブラシ４に巻き込まれるのを防止することができる。さらに、リブ２１ｂ間の空間から上記隙間を介して空気が流入するので、掃除対象物におけるリブ２１ｂと対向する部分と掃除機本体１００とが離間しやすくなり、掃除対象物を有効に叩打することができる。なお、切欠部４ｈは、叩き部材４ｂ２に限定されず、例えば叩き部材４ｂ１、４ｂ３に設けられていてもよい。好ましくは、切欠部４ｈは、叩き部本体が環状になっていない叩き部材、例えば叩き部材４ｂ２・４ｂ３に設けられる。
【００８９】
このように回転ブラシ４の回転に伴って叩き部材４ｂが掃除対象物を叩打することよって、電動送風機６１の排気温風によって弱体化した害虫が掃除対象物から遊離する。それゆえ、効率的に、弱体化した害虫を掃除機本体へ吸い込むことができる。
【００９０】
また、本実施形態に係る電気掃除機では、回転ブラシ４に叩き部材４ｂ及びブラシ部材４ｃが備えられていることにより、駆動モータによる回転駆動力によって、掃除対象物に対する塵埃の掻き出し動作、及び叩き動作の両方を行っている。それゆえ、別途、掃除対象物に対する叩き機構を設ける必要がなく、掃除機本体の軽量化及び小型化を実現することができる。
【００９１】
叩き部材の叩き部本体の形状は、回転軸部４ａの回転による遠心力によって回転軸部４ａと垂直な方向に可撓する形状であればよい。例えば、図１５の（ａ）に示されるように、叩き部本体４ｇ１は、回転軸部４ａに対して垂直な断面形状が環形状であってもよい。また、図１５の（ｂ）に示されるように、叩き部本体４ｇ２は、回転軸部４ａに対して垂直な断面形状が括れ部を有する形状であってもよい。また、図１５の（ａ）及び（ｂ）に示された叩き部本体４ｇ１・４ｇ２の形状に限定されず、図５の（ｃ）に示されたように、叩き部本体４ｇ３は、回転方向に傾斜したブレード形状であってもよい。
【００９２】
なお、図１５の（ａ）〜（ｃ）の構成では、叩き部材４ｂ１・４ｂ２．４ｂ３及びブラシ部材４ｃは、ブラシ基部４ｄに対し２つずつ設けられおり、回転方向において交互に配置されていた。しかし、叩き部材４ｂ１・４ｂ２．４ｂ３及びブラシ部材４ｃの数、配置といった構成は、図１５の（ａ）〜（ｃ）の構成に限定されず、掃除機本体１００の構成、掃除対象物の主な種類等に応じて適宜設計可能である。
【００９３】
〔実施形態３〕
本発明のさらに他の実施形態について、図１７に基づいて説明すれば、以下のとおりである。なお、説明の便宜上、前記実施形態にて説明した部材と同じ機能を有する部材については、同じ符号を付記し、その説明を省略する。図１７は、本実施形態に係る電気掃除機１Ｂの構成を示す分解斜視図である。
【００９４】
本実施形態に係る電気掃除機は、吸込ユニット２０Ａの構成が、上記実施形態１と異なる。図１７は、本実施形態に係る電気掃除機１Ｂにおける吸込ユニット２０Ａの構成を示す分解斜視図である。
【００９５】
図１７に示されるように、本実施形態に係る電気掃除機１Ｂにおいて、吸込ユニット２０Ａは、回転ブラシ４の上側部分を覆うブラシ上部筐体２３と、回転ブラシ４の下側部分を覆うブラシ下部筐体２４と、を備えている。ブラシ上部筐体２３及びブラシ下部筐体２４は、互いに分離可能に取り付けられている。
【００９６】
回転ブラシ４を備えた電気掃除機１Ｂにおいては、吸込ユニット２０Ａにおける回転ブラシ４の上側部分が特に塵埃によって汚れる。本実施形態に係る電気掃除機１Ｂでは、ブラシ上部筐体２３及びブラシ下部筐体２４は、互いに分離可能に取り付けられている。そ
れゆえ、回転ブラシ４の上側部分を覆うブラシ上部筐体２３を掃除機本体１００から分離できるので、ブラシ上部筐体２３を水洗いなどすることによって、特に汚れる回転ブラシ４の上側部分を清潔に保つことができる。
【００９７】
〔実施形態４〕  本発明のさらに他の実施形態について、図１８及び図１９に基づいて説明すれば、以下のとおりである。なお、説明の便宜上、前記実施形態にて説明した部材と同じ機能を有する部材については、同じ符号を付記し、その説明を省略する。
【００９８】
本実施形態は、電気掃除機１を搭載する収納台に関する。図１８は、電気掃除機１を搭載する収納台４００単体の構成を示し、図１８の（ａ）は、斜視図であり、図１８の（ｂ）は側面図であり、図１８の（ｃ）は正面図であり、図１８の（ｄ）は上面図である。また、図１９は、収納台４００に電気掃除機１を搭載した状態を示し、図１９の（ａ）は、斜視図であり、図１９の（ｂ）は側面図であり、図１９の（ｃ）は正面図であり、図１９の（ｄ）は上面図である。
【００９９】
図１８及び図１９に示されるように、収納台４００は、集塵装置２００における集塵カップ２１０の前端部を支持する集塵カップ前端支持部４１０と、掃除機本体１００の前端部を支持する掃除機本体前端支持部４２０と、掃除機本体１００の底部を支持する掃除機本体底部支持部４３０と、を有している。
【０１００】
電気掃除機１は、集塵カップ前端支持部４１０、掃除機本体前端支持部４２０、及び掃除機本体底部支持部４３０に支持された状態で、収納台４００に収納される。電気掃除機１は、収納台４００に収納されたとき、集塵カップ２１０内に集塵された塵埃がこぼれるのを避けるために、集塵カップ２１０の軸Ｐが略鉛直方向（重力方向）になるように保持される。
【０１０１】
このように電気掃除機１が収納台４００に収納された状態において、ユーザは、収納状態にある掃除機本体１００からそのまま集塵カップ２１０を取出すことができる。それゆえ、集塵カップ２１０を容易に手入れすることができる。また、電気掃除機１は、収納台４００に収納された状態では、操作ハンドル３００が水平（収納台４００を設置する設置面に対して平行）になるように保持される。それゆえ、ユーザは、操作ハンドル３００を手で取り取りやすくなる。さらに、操作ハンドル３００が掃除機本体１００よりも上側の位置に配されるので、ユーザは、容易に、操作ハンドル３００を介して、掃除機本体１００を持ち上げることができる。
【０１０２】
また、収納台４００には、電気掃除機１の電源コード１１０を収納する収納部４３１が設けられている。このように収納台４００に電源コード１１０を収納する収納部４３１を設けることによって、電気掃除機１を収納台４００に搭載したときにユーザが電源コード１１０に引っ掛かることを防止できる。
【０１０３】
〔実施形態５〕
本発明のさらに他の実施形態について、図２０に基づいて説明すれば、以下のとおりである。なお、説明の便宜上、前記実施形態にて説明した部材と同じ機能を有する部材については、同じ符号を付記し、その説明を省略する。図２０は、本実施形態に係る電気掃除機１Ｃの構成を示し、図２０の（ａ）は、下面側から見た下面図であり、図２０の（ｂ）は、断面図である。
【０１０４】
本実施形態に係る電気掃除機１Ｃは、掃除機本体１００の下部基体１２２に仕切壁２１ｃに加えリブ２１ｆが設けられた点が実施形態１に係る電気掃除機１と異なる。
【０１０５】
図２０の（ａ）及び（ｂ）に示されるように、リブ２１ｆは、下部基体１２２の下面において、仕切壁２１ｃと共に外部排出口３を取り囲むように形成されている。また、リブ２１ｆは、布団等の掃除対象物と対向する端面が、仕切壁２１ｃにおける布団等の掃除対象物と対向する端面と同じ高さ位置になるように、下部基体１２２の下面（底面）に対し突出している。
【０１０６】
それゆえ、下部基体１２２の下面、仕切壁２１ｃ、リブ２１ｆ、及び掃除対象物によって囲まれた空間Ｓ内の密閉度は向上する。その結果、外部排出口３から排出された温風が空間Ｓ外へ漏れないので、温風の温度を所定温度以上に保ちやすくなる。
【０１０７】
また、本実施形態に係る電気掃除機１Ｃでは、吸込ユニット２０に脱着ツマミ２１ｇが設けられている。ユーザがこの脱着ツマミ２１ｇをスライド移動することによって、吸込ユニット２０に対する掃除機本体１００のロック機構が解除され、吸込ユニット２０は、掃除機本体１００に対し取り外し可能となる。
【０１０８】
また、本実施形態に係る電気掃除機１Ｃでは、掃除機本体１００の後側部分の底面に設けられた下部基体１２２にローラー１８が取り付けられている。また、掃除機本体１００の前側部分の底面に設けられた吸込ユニット２０に、２つのローラー１９ａ及び１９ｂが取り付けられている。ローラー１８、並びにローラー１９ａ及び１９ｂは、その回転軸の方向が前後方向と垂直になるように配置されている。ローラー１８、並びにローラー１９ａ及び１９ｂが設けられていることにより、布団等の掃除対象物上で掃除機本体１００をスムーズに移動させることができる。
【０１０９】
また、ローラー１９ａ及び１９ｂは、前述の吸込ユニット２０におけるブラシ筐体２１の底面２１ｈに配置されている。この底面２１ｈは、仕切壁２１ｃと同じ高さの平面部によって構成されている。このような平面部により構成された底面２１ｈが設けられることによって、ユーザが掃除機本体１００を移動させるに際し、外部排出口３から排出された温風により布団等の掃除対象物をふっくらした後に、底面２１ｈの平面部によって掃除対象物のしわを伸ばすことができるという効果を奏する。
【０１１０】
なお、掃除機本体１００に設けられるローラーは、図２０の（ａ）に示された構成に限定されない。ローラーの数、配置等といった構成は、掃除機本体１００の構成、掃除対象物の主な種類等に応じて適宜設計可能である。
【０１１１】
〔まとめ〕
本発明の態様１に係る電気掃除機１は、電動送風機６１を内蔵し、掃除対象物に対向する底面に吸込口（開口部２１ａ）及び外部排出口３が形成された掃除機本体１００を備え、上記電動送風機６１の排熱により加熱された温風を外部排出口３から上記掃除対象物へ吹き付ける電気掃除機１であって、上記吸込口と上記外部排出口３との間を仕切る仕切壁２１ｃが、上記掃除機本体１００の底面に対して設けられている。
【０１１２】
上記の構成によれば、上記吸込口（開口部２１ａ）と上記外部排出口３との間を仕切る仕切壁２１ｃが、上記掃除機本体１００の底面に対して設けられているので，外部排出口３から排出された温風が吸込口（開口部２１ａ）へ吸引されることを防止することができる。それゆえ、掃除機本体１００における、吸込口（開口部２１ａ）と外部排出口３との間の排気風の過度の循環を防止することができ、排気循環による掃除機本体１００の過度の温度上昇を防止することができる。
【０１１３】
本発明の態様２に係る電気掃除機１は、上記態様１において、上記掃除機本体１００の移動を補助する回転体（ローラー１６）を備え、上記回転体（ローラー１６）を収容する
回転体収容部（ローラー収容部２１ｄ）を構成する側壁の一部が上記仕切壁２１ｃであってもよい。
【０１１４】
上記の構成によれば、電気掃除機１の移動が容易になり、操作性が向上する。
【０１１５】
本発明の態様３に係る電気掃除機１は、上記態様１または２において、上記掃除機本体１００の動作を制御する回路基板（本体回路基板８）と、該回路基板を収容する基板収容部（回路基板収容部６８ｂ）と、を備え、上記吸込口（開口部２１ａ）から上記外部排出口３までの上記掃除機本体１００内部の流路における、上記外部排出口３の上流側に、上記温風を浄化する排気フィルター７が配置され、上記温風の流路は、上記基板収容部を通過せず上記外部排出口３へ向かう第１の流路Ｚ１と、上記基板収容部を通過する第２の流路Ｚ２とに分岐し、上記第１及び第２の流路Ｚ１・Ｚ２は、合流して上記排気フィルター７を通過する構成であってもよい。
【０１１６】
電動送風機６１の排気熱を利用して掃除対象物に対し温風を当てる電気掃除機１においては、外部へ排出される空気を浄化するために、排気フィルター７が搭載される。また、電気掃除機１には、回路基板（本体回路基板８）といった制御装置が搭載されているので、回路基板の冷却のために、電動送風機６１によって加温された温風を基板収容部（回路基板収容部６８ｂ）に流入させる必要がある。
【０１１７】
上記の構成によれば、電動送風機６１の通気通路６１ｃを通過する空気のうち、第２の流路Ｚ２にて一部の空気が基板収容部（回路基板収容部６８ｂ）に流入し、第１の流路Ｚ１にて残りの空気が基板収容部（回路基板収容部６８ｂ）に流入しない流路構成になっている。そして、第１及び第２の流路Ｚ１・Ｚ２は、合流して上記排気フィルター７を通過する。それゆえ、外部排出口３から排出される空気の量を維持することができる。したがって、上記の構成によれば、外部排出口３から排出される空気による十分な熱効果を得るとともに、回路基板（本体回路基板８）も十分に冷却することができる。
【０１１８】
本発明の態様４に係る電気掃除機１は、上記態様３において、上記基板収容部（回路基板収容部６８ｂ）の内部には、上記第２の流路Ｚ２を規定する案内リブ６８ｆが設けられており、上記案内リブ６８ｆは、上記回路基板（本体回路基板８）全体に温風を案内するように構成されてもよい。
【０１１９】
上記の構成によれば、上記案内リブ６８ｆは、上記回路基板（本体回路基板８）全体に温風を案内するので、十分に上記回路基板（本体回路基板８）を冷却することができる。
【０１２０】
本発明の態様５に係る電気掃除機１は、上記態様１から４において、回転ブラシ４を備え、該回転ブラシ４は、回転駆動により上記掃除対象物から塵挨あるいは異物を掻き上げるブラシ部材４ｃと、上記回転駆動により上記掃除対象物を叩打する叩き部材４ｂと、を有し、上記回転ブラシ４は、上記吸込口（開口部２１ａ）に設けられている構成であってもよい。
【０１２１】
上記の構成によれば、回転ブラシ４によって布団等の掃除対象物表面から塵埃またはダニ等の害虫を掻き出すとともに叩き出す動作、及び吸引動作が、上記吸込口（開口部２１ａ）の近傍箇所で行われる。それゆえ、上記の構成によれば、温風によって弱体化した害虫を効率的に掃除機本体１００内に吸引することができる。
【０１２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれ
ぞれ開示された技術的手段を組み合わせることにより、新しい技術的特徴を形成することができる。
【産業上の利用可能性】
【０１２３】
本発明は、特に布団等を掃除するハンディ型の電気掃除機に利用することができる。
【０１２４】
〔付記事項〕
本発明の一態様に係る電気掃除機は、電動送風機を内蔵し、掃除対象物に対向する底面に吸込口及び外部排出口が形成された掃除機本体を備え、上記電動送風機の排熱により加熱された温風を外部排出口から上記掃除対象物へ吹き付ける電気掃除機であって、上記吸込口と上記外部排出口との間を仕切る仕切壁が、上記掃除機本体の底面に対して設けられていることを特徴としている。
【０１２５】
本発明の一態様によれば、吸込口と排気口との間の排気風の過度の循環を防止することができるという効果を奏する。
【符号の説明】
【０１２６】
１、１Ｂ        電気掃除機
３        外部排出口
４        回転ブラシ
４ａ      回転軸部
４ｂ      叩き部材
４ｃ      ブラシ部材
４ｄ      ブラシ基部
４ｅ      突起
４ｆ      挿入部
４ｇ      叩き部本体
７        排気フィルター
８        本体回路基板
１４        回転ブラシ駆動モータ
１６        ローラー
２０、２０Ａ    吸込ユニット
２１        ブラシ筐体
２１ａ      開口部
２１ｃ      仕切壁
２１ｄ      ローラー収容部
２３        ブラシ上部筐体
２４        ブラシ下部筐体
６０        電動送風機ユニット
６１        電動送風機
６８        排気ダクト部材
６８ａ      電動送風機収容部
６８ｂ      回路基板収容部
６８ｃ      下流側通気口
６８ｄ      上流側通気口
６８ｅ      下流側通気口
６８ｆ      案内リブ
６８ｇ      立設部
１００        掃除機本体
１２０        筐体ユニット
２００        集塵装置
Ｚ１            流路（第１の流路）
Ｚ２            流路（第２の流路）
【図１】
2019030801.tif 000003
【図２】
2019030801.tif 000004
【図３】
2019030801.tif 000005
【図４】
2019030801.tif 000006
【図５】
2019030801.tif 000007
【図６】
2019030801.tif 000008
【図７】
2019030801.tif 000009
【図８】
2019030801.tif 000010
【図９】
2019030801.tif 000011
【図１０】
2019030801.tif 000012
【図１１】
2019030801.tif 000013
【図１２】
2019030801.tif 000014
【図１３】
2019030801.tif 000015
【図１４】
2019030801.tif 000016
【図１５】
2019030801.tif 000017
【図１６】
2019030801.tif 000018
【図１７】
2019030801.tif 000019
【図１８】
2019030801.tif 000020
【図１９】
2019030801.tif 000021
【図２０】
2019030801.tif 000022